(57)【要約】【課題】解体が容易であり、パーツの再利用を可能とする仮設建物間仕切施工方法を提供する。【解決手段】上桟、下桟をビス止めする。添柱を本体にビス止めする。上桟に隙間防止スポンジを取り付ける。下桟の片側に巾木をビス止めする。間仕切パネルの上部を上桟の下向きの溝に入れ、下桟に乗せる。実木、柱の上部を上桟の下向きの溝に入れ、下部を巾木に当て、下桟に乗せる。添柱側に各々を寄せ、各部材の凹凸を嵌め合わせて、柱を上桟及び下桟にビスで固定する。建具枠上パネルを引違戸建具ユニットの上部の溝に乗せ、引違戸建具ユニットと一緒にして間仕切パネルと同様に止める。【選択図】図１３
2012017603.tif 000002
【特許請求の範囲】
【請求項１】
両脇に実加工を施した板状体からなる間仕切パネルと、両脇に実加工を施した建具枠で建具を囲ってなる建具ユニットとを仮設建物内部の天井と床との間に固定して間仕切を施工すべく、
前記間仕切パネルとほぼ同じ厚さを有する角材からなり床にビス止めされる下桟と、
下向きにコの字型の溝を有しその溝には隙間防止スポンジを取り付けた上桟と、
下桟の側面の外観を覆うとともに、前記間仕切パネルの下部を側面から支える支持部材である巾木と、
前記間仕切パネルの厚さと同一の巾寸法を有し断面形状が正方形である角材の各側面中央に角溝を彫り込んだ形状を有する柱と、
前記間仕切パネルの雄実の部分を二つ合せた寸法を有する角材からなる実木と、
前記仮設建物本体の壁パネル又は本体柱に添えて立てる柱である添柱と、
前記建具ユニットと天井との間の空間を覆うべく両脇に実加工を施した板状体からなる建具枠上パネルと
を用いる仮設建物工事用パーツ間仕切施工方法であって、
仮設建物内部の床と天井とに墨を入れる墨入工程と、
該墨入工程にて入れた墨線に合せて、天井には前記上桟を、床には前記下桟をビス止めする桟取付工程と、
該桟取付工程にて取付けた前記下桟の側面片側に前記巾木を取り付けるとともに、前記仮設建物本体壁パネル又は本体柱に前記添柱を取り付ける片側巾木取付工程と、
前記間仕切パネルの上部を上桟の下向きの溝に入れ、該間仕切パネルの下部を片側巾木取付工程にて取付けた巾木に当て、前記下桟に載せる間仕切パネル載置工程と、
該間仕切パネル載置工程にて載置した間仕切パネルの前記添柱から遠い位置において、前記実木及び前記柱の上部を上桟の下向きの溝に入れ、下部を巾木に当て、下桟に乗せる実木柱載置工程と、
前記間仕切パネル載置工程にて載置した前記間仕切パネル、前記実木柱載置工程にて載置した前記実木及び前記柱を前記添柱側に寄せ、各部材の凹凸を嵌め合わせて、前記柱を前記上桟及び前記下桟にビスで固定する柱固定工程と、
該柱固定工程にて固定した柱の前記添柱から遠い位置において、前記実木及び前記建具枠上パネルを、前記建具ユニットの上部の溝に乗せ、建具ユニットと一緒に前記間仕切パネル載置工程と同様に上桟の下向きの溝に入れ、前記建具ユニットを墨線に合せて床に置く建具ユニット載置工程と、
添柱側に各々を寄せ、各部材の凹凸を嵌め合せて、前記建具ユニットを床にビスで固定する建具ユニット固定工程と、
前記建具ユニットの前記添柱から遠い側の脇に前記実木及び前記柱を入れ、前記添柱側に寄せて凹凸部を嵌め合せ、前記柱を上桟、下桟にビス止めするとともに、前記巾木を前記下桟にビス止めするビス止め工程と
を有する仮設建物工事用パーツ間仕切施工方法。
【請求項２】
請求項１に記載した仮設建物工事用パーツ間仕切施工方法であって、
二つの方向に延びる間仕切の交差する部分にあっては、二つの方向に延びる間仕切をそれぞれ仮設建物本体の壁パネル又は本体柱に取付けた添柱から施工し、コーナ部に用いる前記柱を最後に固定することを特徴とする仮設建物工事用パーツ間仕切施工方法。
【請求項３】
請求項１又は２のいずれか一に記載した仮設建物工事用パーツ間仕切施工方法であって、
前記間仕切パネルとして、縦桟、横桟、中桟からなるその外周部材が青木材を加工して組込んだものであり、その表面、裏面を化粧プリント合板で仕上げたものであり、内部の中空部分には断熱・防音材を全面に装着したものを用いることを特徴とする仮設建物工事用パーツ間仕切施工方法。
【請求項４】
請求項１又は２のいずれか一に記載した仮設建物工事用パーツ間仕切施工方法であって、
前記下桟の厚さを前記間仕切パネルの厚さよりもわずかに小さい寸法として、前記巾木と前記間仕切パネルとの密着度を高めたものを用いることを特徴とする仮設建物工事用パーツ間仕切施工方法。
【請求項５】
請求項１又は２のいずれか一に記載した仮設建物工事用パーツ間仕切施工方法であって、
前記上桟の厚さを大きくし、強度を高めることにより、前記間仕切パネルの受ける衝撃を吸収することを可能としたものを用いることを特徴とする仮設建物工事用パーツ間仕切施工方法。
【請求項６】
請求項１又は２のいずれか一に記載した仮設建物工事用パーツ間仕切施工方法であって、
前記建具ユニットを構成する前記建具枠の両脇を斜めにカットして前記柱に接続する部分は前記柱の寸法と同一になるようにしたものを用いることを特徴とする仮設建物工事用パーツ間仕切施工方法。
【発明の詳細な説明】
【技術分野】
【０００１】
本発明は、仮設建物工事、とりわけ予め用意した間仕切用のパーツ部材を用いて、間仕切を施工する方法に関する。
【背景技術】
【０００２】
例えば、トンネル工事関係者が当該工事の期間中使用するために用いられるプレハブ建物は、関係者の日常生活に密着したものとなるので、一般住宅に近いものにするよう配慮される。引違戸建具ユニットを用いたり、場合によっては畳を用いるなどの事情から、一般住宅に近づける必要が生じる。
【０００３】
特許文献１には、間仕切パネル用柱が開示されている。正方形断面を有する角柱の四つの面の長手方向中央に同一寸法の溝を有するものである。
【先行技術文献】
【特許文献】
【０００４】
【特許文献１】実公昭５１−００７７０１号公報
【発明の概要】
【発明が解決しようとする課題】
【０００５】
上述のプレハブ建物は、使用する者の便宜を考えると、美観もよく一般住宅に近いものが望ましい。また、一般住宅と同様にくつろげる空間を提供することが、工事の安全を確保するためにも好ましい。その一方で、その現場での作業が終われば、解体せざるを得ないというものである。
本発明の発明者は、そのためには、柱だけでなく、間仕切用のパーツをすべて規格化されたものとして予め用意すること、そして、間仕切施工方法を画一化されたものとして提供することにより、解体が容易になされパーツを再利用できるようにすることが望ましいと考えた。
本発明の目的は、解体が容易であり、パーツの再利用を可能とする仮設建物間仕切施工方法を提供することにある。
【課題を解決するための手段】
【０００６】
本発明に係る仮設建物間仕切施工方法は、次の工程（１）から工程（９）までをその順に有するものとして構成される。
工程（１）：間取りに合せて床と天井とに墨を入れる墨入工程。
工程（２）：墨入れ工程で入れた墨線に合せて天井側には下向きにコの字型の溝を有しその溝には隙間防止スポンジを取り付けた上桟、床には間仕切パネルの厚さと同程度の寸法の角材からなる下桟をビスで固定する桟取付工程。
工程（３）：プレハブ本体壁パネル、プレハブ本体柱に添柱をビスで固定するとともに、下桟の片側に下桟の外観を覆うとともに間仕切パネルの下部を側面から支える支持部材である巾木をビス等で取り付ける片側巾木取付工程。
工程（４）：両脇に実加工を施した板状体からなる間仕切パネルの上部を上桟の下向きの溝に入れ、下部を巾木に当て、下桟に乗せる間仕切パネル載置工程。
工程（５）：間仕切パネルの雄実の部分を二つ合せた寸法を有する角材からなる実木、間仕切パネルの厚さと同一の巾寸法を有し断面形状が正方形である角材の各側面中央に角溝を彫り込んだ形状を有する柱の上部を上桟の下向きの溝に入れ、下部を巾木に当て、下桟に乗せる実木柱載置工程。
工程（６）：添柱側に各々を寄せ、各部材の凹凸を嵌め合わせて、柱を上桟及び下桟にビスで固定する柱固定工程。
工程（７）：建具枠上パネルを、引違戸建具を建具枠で囲ってなる引違戸建具ユニットの上部の溝に乗せ、引違戸建具ユニットと一緒に工程（４）と同様に上桟の下向きの溝に入れ、引違戸建具ユニットを墨線に合せて床に置く引違戸建具ユニット載置工程。
工程（８）：添柱側に各々を寄せ、各部材の凹凸を嵌め合せて、引違戸建具ユニットを床にビスで固定する引違戸建具ユニット固定工程。
工程（９）：引違戸建具ユニットの右側（上桟Ｔ字交差部）に実木、柱を入れ、添柱側に寄せて凹凸部を嵌め合せ、柱を上桟、下桟にビスで固定する。それとともに巾木を下桟にビスで取り付けるビス止め工程。
【発明の効果】
【０００７】
本発明の仮設建物間仕切施工方法は、規格化されたパーツを用い、その施工方法も画一化したものとしたので、解体する際には、容易に作業ができる。
再利用すべきパーツに傷をつけずに、施工し、また解体もできるので、パーツ再利用が可能である。
【図面の簡単な説明】
【０００８】
【図１】図１は、間仕切施工完成後の表示組立部斜視図である。断面位置Ｍ−Ｍ、Ｎ−Ｎを示す。
【図２】図２は、間仕切パーツ部材の一つである上桟２０及び添柱６０を示す。図２（ａ）は、上桟２０を示す。図２（ｂ）は、添柱６０を示す。
【図３】図３は、巾木３０及び下桟１０を示す。図３（ａ）は、巾木３０を示す。図３（ｂ）は、下桟１０を示す。
【図４】図４は、柱４０及び実木５０を示す。図４（ａ）は、柱４０を示す。子４（ｂ）は、実木５０を示す。
【図５】図５は、間仕切パネル７０及び建具枠上パネル８０を示す。図５（ａ）は、間仕切パネル７０を示す。図５（ｂ）は、建具枠上パネル８０を示す。
【図６】図６は、ドア建具ユニットを示す。図６（ａ）は、正面からみた図である。図６（ｂ）は、図６（ａ）中のイ−イ断面図である。図６（ｃ）は、図６（ａ）中のロ−ロ断面図である。
【図７】図７は、引違戸建具ユニットを示す。図７（ａ）は、正面からみた図である。図７（ｂ）は、図７（ａ）中のハ−ハ断面図である。図７（ｃ）は、図７（ａ）中のニ−ニ断面図である。
【図８】図８は、嵌合部（例）を示す図である。図８（ａ）は、柱に対して、間仕切パネル、引違戸建具ユニット、ドア建具ユニットを嵌合する様子を示す。図８（ｂ）は、柱に対して三方から間仕切パネルを嵌合する様子を示す。
【図９】図９は、上桟のクロス部及びコーナ部を下から見た図である。。
【図１０】図１０は、工程（１）を示す。間取りに合せて墨を入れる工程である。
【図１１】図１１は、工程（２）を示す。墨線に合せて天井側には上桟、床には下桟をビス等で固定する工程である。
【図１２】図１２は、工程（３）を示す。プレハブ本体壁パネルや、プレハブ本体柱に添柱をビス等で固定するとともに、上桟に隙間防止スポンジを取り付け、下桟の片側に巾木をビス等で取り付ける工程である。
【図１３】図１３は、工程（４）を示す。間仕切パネルの上部を上桟の下向きの溝に入れ、下部を巾木に当て、下桟に乗せる。
【図１４】図１４は、工程（５）を示す。実木、柱の上部を上桟の下向きの溝に入れ、下部を巾木に当て、下桟に乗せる。
【図１５】図１５は、工程（６）を示す。添柱側に各々を寄せ、各部材の凹凸を嵌め合わせて、柱を上桟及び下桟にビス等で固定する。
【図１６】図１６は、工程（７）を示す。建具枠上パネルを引違戸建具ユニットの上部の溝に乗せ、引違戸建具ユニットと一緒に工程（４）と同様に上桟の下向きの溝に入れ、引違戸建具ユニットを墨線に合せて床に置く。
【図１７】図１７は、工程（８）を示す。添柱側に各々を寄せ、各部材の凹凸を嵌め合せて、引違戸建具ユニットを床にビス等で固定する。
【図１８】図１８は、工程（９）を示す。引違戸建具ユニットの右側（上桟Ｔ字交差部）に実木、柱を入れ、添柱側に寄せて凹凸部を嵌め合せ、柱を上桟、下桟にビス等で固定する。それとともに巾木を下桟にビス等で取り付ける。
【図１９】図１９は、断面（１）を示す。図１９（ａ）は、上桟を天井にビス止めする様子を示す。図１９（ｂ）は、下桟を床にビス止めする様子を示す。図１９（ｃ）は、プレハブ本体柱に添柱をビス止めする様子を示す。図１９（ｄ）は、プレハブ本体柱に添柱をビス止めする様子を、クサビで本体壁パネルを押える場合について示す。工程（２）から工程（３）の途中までに対応する。
【図２０】図２０は、断面（２）を示す。図２０では、左側の巾木が下桟にビス止めされているが、右側の巾木は、まだビス止めされていない。図１２に示す工程（３）の途中の段階である。隙間防止スポンジはまだ取り付けられていない。
【図２１】図２１は、断面（３）を示す。隙間防止スポンジを取り付けた後、間仕切りパネルを下桟に乗せた状態である。工程（４）に対応する。
【図２２】図２２は、断面（４）を示す。実木、柱の上部を上桟の下向きの溝に入れ、下部を巾木に当て、下桟に乗せる、工程（５）に対応する。
【図２３】図２３は、断面（５）を示す。柱を上桟及び下桟にビス止めする工程（６）に対応する。図２３（ａ）は、Ｅ−Ｅ断面を示す。図２３（ｂ）は、Ｆ−Ｆ断面を示す。
【図２４】図２４は、断面（６）を示す。工程（７）に対応する。Ｇ−Ｇ断面である。
【図２５】図２５は、断面（７）を示す。工程（８）に対応する。Ｈ−Ｈ断面である。
【図２６】図２６は、断面（８）を示す。工程（９）に対応する。Ｉ−Ｉ断面である。
【図２７】図２７は、断面（９）を示す。Ｊ−Ｊ断面である。
【図２８】図２８は、断面（１０）を示す。Ｋ−Ｋ断面である。
【図２９】図２９は、断面（１１）を示す。Ｎ−Ｎ断面である。
【図３０】図３０は、断面（１２）を示す。Ｍ−Ｍ断面である。
【発明を実施するための形態】
【０００９】
本発明に係る仮設建物工事用パーツ間仕切施工方法の実施形態について図面を参照しつつ説明する。
【００１０】
図１は、間仕切施工完成後の表示組立部３００の斜視図である。ここで表示組立部３００は、後述する墨入れの平面図（図１０）において一点鎖線の矩形で囲んだ表示組立部３００であり、本実施形態においては、この部分の組立について説明する。図１の斜視図は、表示組立部３００を建物の外側から、プレハブ本体壁パネル２００を透視してみている。図１で、上部に広がる平面は天井であり、下部に広がる平面は床である。本発明において施工するパーツ間仕切は、床から天井にいたるまでのすべてを覆うものである。建具ユニットを用いない部分は、間仕切パネルが、床から天井までを覆う主な部材となる。引違戸やドアを用いる部分は、建具ユニットを用いる。そして、その建具ユニットと天井の間には、建具枠上パネルを用いる。図１のＭ−Ｍ位置の断面図は、図３０に示す。図１のＮ−Ｎ位置の断面図は、図２９に示す。
【００１１】
図２から図７までにおいて、間仕切パーツ部材の一つ一つの形状、構造について示す。これらの間仕切パーツ部材は、均一の強度を有することが望ましい。例えば集成材を用いることで均一強度を実現できる。
図２は、上桟２０及び添柱６０を示す。図２（ａ）に示す上桟２０は、断面がコの字形状をし長手方向に長く（例えば３６５０ｍｍ）延びる部材であり、現場において間取りに合せて必要な寸法に切断される。コの字形状により形成される溝が下向きになるように、天井に例えば４５センチ間隔でビス止めされる。ビス止めの箇所には、あらかじめビスガイド溝を設けておくのが望ましい。ビスガイド溝にビスの頭を収納することにより、間仕切パネル７０などの納まりをよくするためである。上桟２０の下方に向く溝部分に柱４０及び間仕切パネル７０がささり込み、頭押えの役目を果たす。上桟２０の形状は大きめに設定する。間仕切パネル７０に衝撃が加わった場合、凹部の掛かり部分を厚くすることにより耐えられるものとするためである。外観を構成する部材なので、望ましくは塗装される。また、上桟２０の下向きの溝の深さの限度内において、天井高さの違いに対応する調整が可能である。
図２（ｂ）に示す添柱６０は、プレハブ本体の壁パネル又はプレハブ本体柱に添えて立てる柱であり、あらかじめ準備された規格品として寸法、形状、構造が決められたものである。縦方向に溝が設けられている。この溝は後述する間仕切パネル７０の雄実部分と結合できるように切られた溝である。添柱の厚さについては、二種類準備される。プレハブ本体の壁パネル２００に用いる場合（図３０の添柱６５）と、ブレハブ本体柱２４０に用いる場合（図２９の添柱６０）とで、壁パネル２００から本体柱２４０が突出する分（１５ｍｍ）だけ、寸法の違いがあるからである。
【００１２】
図３は、間仕切パーツ部材のうちの巾木３０及び下桟１０を示す。巾木３０及び下桟１０もまた、上述の上桟２０と同様に長手方向に長く（例えば３６５０ｍｍ）延びる部材であり、現場において間取りに合せて必要な寸法に切断される。図３（ａ）に示す巾木は、その寸法を例えば、厚さ７ｍｍ、巾６０ｍｍとすることができる。下桟１０の側面の外観を覆うとともに、間仕切パネル７０の下部を側面から支える支持部材であり、下桟の両側面からそれぞれビス止めされる。上桟２０と同様に外観構成部材であるので、塗装されることが望ましい。図３（ｂ）に示す下桟１０は、後述する間仕切パネル７０を載せる部材である。間仕切パネル７０の上部は、上述した上桟２０の下向きの溝により頭押えされて固定されるが、それに対して、間仕切パネル７０の下部は、下桟１０の上に載せられ、下桟１０の両側からそれぞれ巾木３０により挟み込まれるようにして固定される。固定されるといっても、間仕切パネル７０自体には、何ら傷がつかない。下桟１０が床にビス止めされ、巾木３０が下桟１０にビス止めされる。下桟１０を床にビス止めするためのビスガイド溝をあらかじめたとえば４５０ｍｍ間隔で設けておくのが望ましい。ビスの頭をビスガイド溝に収めることで、間仕切りパネル７０の座りをよくするためである。下桟１０は間仕切りパネル７０と同程度の厚さを有するが、望ましくは若干部材巾を小さくする。それにより後付けの巾木３０の密着性が良くなり。下桟１０は、出来上がりの外観を構成しない部材であるので、塗装する必要はない。
【００１３】
図４は、柱４０及び実木５０を示す。図４（ａ）に示す柱４０は、断面形状が正方形である角材の各側面中央に巾１２ｍｍ深さ６ｍｍの角溝を彫り込んだものである。この角溝が雌実を構成し、４方向から間仕切パネルとの連結に対応できる形状となっている。柱４０の巾の寸法は、間仕切パネル７０と同一にする。それにより、前述した上桟２０の下向きの溝に沿って、滑らせて移動させて設置位置を決めることができる。そして、出来上がりにおいては、壁面としての凹凸がない。柱４０は、望ましくは間仕切パネル７０の化粧板と同じ色で塗装され、一体として一つの壁面を構成する。柱４０は、その上部を上桟２０にビス止めされ、その下部を下桟１０にビス止めされる部材である。したがって、あらかじめ規格により決められた長さを有している。また、ビス止めの便宜のため、柱４０の上下にはそれぞれビスガイド溝４５が設けられる（図２３参照）。実木５０は、間仕切パネル７０の雌実と柱４０の雌実とが連結される場合に、お互いの溝部分にいれる補助部材であり、断面形状が正方形（一辺が１２ｍｍ）の角材である。実木５０は、外観を構成しない部材であるので、塗装する必要はない。
【００１４】
図５は、間仕切パネル７０及び建具枠上パネル８０を示す。図５（ａ）に示す間仕切パネル７０は、その外周部材（縦桟、横桟、中桟）は青木材を加工して組込み、その表面、裏面に化粧プリント合板で仕上げたものであり、壁面を構成する部材である。間仕切パネル７０の縦桟は、パネルのジョイント部分に当たるので、雄実、雌実加工を施し、ジョイント部分の強度をもたせた。実加工によりパネル間の目違い、ネジレ防止に効果がある。パネル内部の中空部分には断熱・防音材を全面に装着している。
【００１５】
図５（ｂ）に示す建具枠上パネル８０は、引違戸建具ユニット１００などの建具ユニットの高さが間仕切パネルの高さよりも低いので、上桟２０と建具ユニットとの間をふさぐ部材であり、建具ユニットと天井との間の空間を覆うべく両脇に実加工を施した板状体からなる。両脇の縦桟部分は、いずれの側も雌実としてある。
【００１６】
図６は、ドア建具ユニット９０を示す。図６（ａ）は、正面からみた図である。図６（ｂ）は、図６（ａ）中のイ−イ断面図である。図６（ｃ）は、図６（ａ）中のロ−ロ断面図である。図６（ｃ）に描かれているように、建具枠の縦桟を建具枠上パネルと同様に両方とも雌実として実加工してある。したがって、柱４０、間仕切パネル７０との連結自在な組み合わせが容易にできる。枠巾は、間仕切パネルの厚み（４０ｍｍ）では、建具自体の厚みを確保できないので、枠巾を８０ｍｍとしている。この場合、間仕切部がコーナー部分の箇所であれば枠同士がぶつかり、組み合わせるのに支障をきたすので、枠を斜めにカットし納まり状態をよくしている。また、床仕上げが畳等の場合、敷居の下に下桟を通して据付し対応させることも可能である。
【００１７】
図７は、引違戸建具ユニットを示す。図７（ａ）は、正面からみた図である。図７（ｂ）は、図７（ａ）中のハ−ハ断面図である。図７（ｃ）は、図７（ａ）中のニ−ニ断面図である。建具枠の縦桟を両方とも雌実として加工してある点、枠巾に厚みを持たせた分だけ、枠を斜めにカットし、納まり状態をよくしてある点は、ドア建具ユニットと同様である。
【００１８】
図８は、嵌合部の一例を示す図である。図８（ａ）は、柱に対して、間仕切パネル、引違戸建具ユニット、ドア建具ユニットを嵌合する様子を示す。図８（ｂ）は、柱に対して三方から間仕切パネルを嵌合する様子を示す。雌実同士の結合の場合は、実木５０を間に挟む。また、柱４０の厚さと間仕切パネル７０との厚さが同じであることがわかる。
【００１９】
図９は、上桟２０のクロス部及びコーナ部を下から見た図である。図９（ａ）に示すように、９０度に曲がるコーナ部にあっては、それぞれの上桟２０を４５度の角度でカットして接続する。図９（ｂ）に示すように、Ｔ字部にあっては、上桟２０の下向きの溝の一部を切り欠いて接続する。図９（ｃ）に示すように、十字型にクロスする部分にあっては、それぞれの上桟２０をカットして接続する。
【００２０】
次に、図１０から図１８までを参照しつつ、本発明の仮設建物工事用パーツ間仕切施工方法の手順を説明する。
図１０は、工程（１）を示す。間取りに合せて墨を入れる工程である。建物の全長、巾の確認、建物の柱の建ちの確認をする。床及び天井の目違い、不陸を確認し、必要があれば修正してから、墨出しをする。墨出し後、間仕切位置を再確認する（特に、開口部）。
【００２１】
図１１は、工程（２）を示す。墨線に合せて天井側には上桟、床には下桟をビス等で固定する工程である。上桟２０、下桟１０を現場において、丸のこを用いて間仕切の寸法で切断する。下桟１０を床にビス止めする。上桟２０の溝部分に隙間防止スポンジ２５を貼ってから脚立を用いて取り付ける。
【００２２】
図１２は、工程（３）を示す。間仕切工事をすべき墨線がプレハブ本体壁パネル又はプレハブ本体柱に交わる部分について、プレハブ本体壁パネルには添柱６５を、プレハブ本体柱には添柱６０をビス等で固定し、下桟１０の片側に巾木３０をビスで取り付ける工程である。添柱６０、６５を、プレハブ鉄骨柱部分であるか、それともプレハブ本体壁パネル部分であるかに気をつけて取り付ける。上中下と三箇所ビス止めする。また、添柱６０を取り付けるべきプレハブ本体柱とプレハブ本体壁パネルとの間に隙間が生じている場合には、クサビを用いてぐらつきをなくす（図１９（ｄ））。
【００２３】
図１３は、工程（４）を示す。間仕切パネル７０の上部を上桟２０の下向きの溝に入れ、下部を巾木３０に当て、下桟１０に乗せる。このとき、間仕切パネル７０には、傷をつけないように気をつけて運ぶ。実加工を施してあることに注意して、目違いが生じないように気をつけて作業する。再使用すべき部材であるので、きつい場合であっても切断しないようにする。
【００２４】
図１４は、工程（５）を示す。実木５０、柱４０の上部を上桟２０の下向きの溝に入れ、下部を巾木３０に当て、下桟１０に乗せる。
【００２５】
図１５は、工程（６）を示す。添柱（６０、６５）側に各々（間仕切パネル７０、実木５０、柱４０）を寄せ、各部材の凹凸を嵌め合わせて、柱４０を上桟２０及び下桟１０にビス等で固定する。柱４０の固定は上下にそれぞれ斜めに設けられたビスガイド溝４５を用いてビス（Ｌ５０）で上下２箇所固定する。柱４０の建付けは、下振りで行い、倒れは３ｍｍ以内を合格とする。
【００２６】
図１６は、工程（７）を示す。建具枠上パネル８０を引違戸建具ユニット１００の上部の溝に乗せ、引違戸建具ユニット１００と一緒に工程（４）と同様に上桟２０の下向きの溝に入れ、引違戸建具ユニット１００を墨線に合せて床２１０に置く。このとき、建具枠上パネル８０、引違戸建具ユニット１００は、いずれも雌実加工してあるので、柱４０との間に実木５０をはさむ。
【００２７】
図１７は、工程（８）を示す。添柱側に各々を寄せ、各部材の凹凸を嵌め合せて、引違戸建具ユニットを床にビス等で固定する。引違戸をセットする際は、建具建付けを確認する。建具の仕様確認及び開き勝手確認を行う。ビス止めは枠から固定する。決して柱から枠を固定しない。後方に隙間が生じていないかを確認する。また、パネルはめ込み時に手指が挟まれないように気をつける。
【００２８】
図１８は、工程（９）を示す。引違戸建具ユニット１００の右側（上桟Ｔ字交差部）に実木５０、柱４０を入れ、添柱６０側に寄せて凹凸部を嵌め合せ、柱４０を上桟２０、下桟１０にビスで固定する。それとともに巾木３０を下桟１０にビスで取り付ける。
【００２９】
図１９は、断面（１）を示す。図１９（ａ）及び図１９（ｂ）は、図１１におけるＡ−Ａ断面を示している。図１９（ａ）は、上桟２０を天井２２０にビス止めする様子を示す。上桟２０は、天井２２０に対して斜めにビス止めされる。図１９（ｂ）は、下桟１０を床２１０にビス止めする様子を示す。下桟１０は、床２１０に対して垂直にビス止めされる。図１９（ｃ）は、図１２におけるＢ−Ｂ断面であり、プレハブ本体柱に添柱をビス止めする様子を示す。図１９（ｄ）は、プレハブ本体柱２４０に添柱６０をビス止めする様子を、クサビ２５０で本体壁パネル２００を押える場合について示す。プレハブ本体柱２４０と本体壁パネル２００との間に隙間が生じている場合に、クサビ２５０が必要となる。工程（２）から工程（３）の途中までに対応する。
【００３０】
図２０は、断面（２）を示す。図１２におけるＢ−１−Ｂ−１断面である。図２０では、左側の巾木３０が下桟１０にビス止めされているが、右側の巾木３０は、まだビス止めされていない。図１２に示す工程（３）の途中の段階である。隙間防止スポンジ２５はこの図においては、つぶれている状態であるので、描くのが省略されている。隙間防止スポンジ２５は、防音、衝撃吸収などの効果を有する。この図に示されるように、巾木３０は、一方の側は早い段階で取り付けられるのに対して、他方の側の巾木３０は、後付けとなる。これにより、間仕切パネル７０を傷つけずに頑丈に止めることができる。また、上桟２０の下向きの溝（コの字形状）を大きめの部材により頑丈につくることで、完成後の間仕切パネル７０に加わる衝撃を吸収することが可能となる。
【００３１】
図２１は、断面（３）を示す。図１４におけるＣ−Ｃ断面である。隙間防止スポンジ２５を取り付けた上桟２０の下向きの溝に間仕切パネル７０の上部をはめ込み、間仕切りパネル７０を下桟１０に乗せた状態である。工程（４）に対応する。
【００３２】
図２２は、断面（４）を示す。図１５におけるＤ−Ｄ断面である。実木５０、柱４０の上部を上桟の下向きの溝に入れ、下部を巾木に当て、下桟に乗せて柱４０をビス止めする工程（６）に対応する。図２２を見てわかるように、間仕切パネル７０と間仕切パネル７０とが隣り合う場合であっても、必ず実木５０と柱４０とを間に入れる。間仕切パネル７０は、一切ビス止めしない部材であるのに対して、柱４０は、上下をビス止めする部材であるからである。
【００３３】
図２３は、断面（５）を示す。柱４０を上桟２０及び下桟１０にビス止めする工程（６）に対応する。図２３（ａ）は、図１５におけるＥ−Ｅ断面を示す。図２３（ｂ）は、図２３（ａ）のＦ−Ｆ断面を示す。ビスガイド溝４５は、図に示すように、斜めに彫られた溝であり、この溝に沿ってビス止めすることにより、斜め向きにビスが進行し、下桟１０、上桟２０にそれぞれ斜め向きにビス止めされる。
【００３４】
図２４は、断面（６）を示す。図１７のＧ−Ｇ断面である。工程（８）に対応する。柱４０と間仕切パネル７０との間に実木５０が用いられ、柱４０と引違戸建具ユニット１００との間にも実木５０が用いられている。
【００３５】
図２５は、断面（７）を示す。図１７のＨ−Ｈ断面である。工程（８）に対応する。引違戸建具ユニット１００の上には、上向きの溝が設けられ、その溝には建具枠上パネル８０が載せられ、建具枠上パネル８０の上部が上桟２０の下向きの溝に嵌っている。また、引違戸建具ユニット１００の下の枠が床に対してビス止めされている。
【００３６】
図２６は、断面（８）を示す。図１８のＩ−Ｉ断面である。工程（９）に対応する。この最終工程では、後付けの巾木３０が下桟１０にビス止めされる。
【００３７】
図２７は、断面（９）を示す。図１８のＪ−Ｊ断面である。建具枠上パネル８０は、両脇とも雌実加工が施されているので、柱４０との接続のためには、その間に実木５０を必要とする。
【００３８】
図２８は、断面（１０）を示す。図１８におけるＫ−Ｋ断面である。引違戸建具ユニット１００は、両脇を雌実加工されており、実木５０を介して柱４０に挟まれることで固定される。
【００３９】
図２９は、断面（１１）を示す。図１におけるＮ−Ｎ断面である。添柱６０、間仕切パネル７０、実木５０、柱４０、間仕切パネル７０、実木５０、柱４０、実木５０、引違戸建具ユニット１００、実木５０、柱４０とつながっている様子を示している。この最後の柱４０をコーナー部の柱として９０度の角度で曲がってさらに別の壁（プレハブ本体壁パネル）へと続く間仕切についても同様に施工できる。それを図３０に示す。
【００４０】
図３０は、断面（１２）を示す。図１におけるＭ−Ｍ断面である。添柱６５、間仕切パネル７０、実木５０、柱４０、間仕切パネル７０、実木５０、柱４０、実木５０、ドア建具ユニット９０、実木５０、柱４０、実木５０、間仕切パネル７０とつながり、最後のコーナ部の柱４０に至る様子が示されている。コーナ部の柱４０は、Ｎ−Ｎ部分、Ｍ−Ｍ部分の間仕切施工が終わって、最後の段階で上桟２０及び下桟１０にビス止めされる。
【００４１】
最後に解体工程について説明する。一言でいえば、組立工程と逆の順序である。
まず、巾木３０が下桟の両側にビス止めされているうちの後から取り付けた側の巾木３０を、ビス５をゆるめることにより、外す。
次に、引違戸建具ユニット１００に接する実木５０及び柱４０のうち、後から取り付けた側の柱４０を上桟２０及び下桟１０に取り付けているビス５を緩めて、柱４０及び実木５０を外す。
その後、引違戸建具ユニット１００を床２１０に固定しているビス５をゆるめて、引違戸建具ユニット１００を外す。このとき、引違戸建具ユニット１００の上部には、建具枠上パネル８０が載っているので、落下しないように気を付ける。
次に、間仕切パネル７０に接している柱４０を、上桟２０下桟１０に止めているビスを外すことにより外す。実木５０も外す。
間仕切パネル７０の下部分を、巾木３０を外した側に引きつつ、上部分を上桟２０の下向きの溝から外すことにより、間仕切パネル７０を外す。
最初に取り付けた側の巾木３０をビスを外すことにより外す。プレハブ本体側に取り付けた添柱６０をビスを外すことにより外す。上桟２０を天井２２０に取り付けているビス５の位置がわかっていれば、その部分の隙間防止スポンジ２５のみをビス５を外すのに必要な限度において取り除き、隙間防止スポンジ２５を再利用出来る場合には、それを残す。上桟２０の下向きの溝に取り付けた隙間防止スポンジ２５が再利用不可能なほどに傷んでいる場合は、隙間防止スポンジ２５を取り外す。
下桟１０を床２１０に取り付けているビスをゆるめることにより、下桟１０を取り外す。上桟２０を天井２２０に取り付けているビスをゆるめることにより、上桟２０を取り外す。
傷、汚れ、破損の状況を確認し、再利用可能な部材と、廃棄すべき部材に分けて管理し、再利用に備える。
【００４２】
以上、引違戸建具ユニット１００を用いる場合について、その組立工程、解体工程を説明したが、他の建具ユニット（ドアパネル建具ユニット、トイレドアパネル建具ユニット、押入戸建具ユニット）を用いる場合についても同様である。その場合、建具ユニットの上に載せる建具枠上パネル８０は、それぞれの寸法に合せて用意される。また、一つのコーナ部を持つ間仕切に限らず、９０度に曲がるコーナ部を複数有する間取りに対しても、適用可能である。その場合、コーナ部の柱４０をビス止めするタイミングについてよく検討し、一旦止めた柱を外す必要が生じないように注意する。
【産業上の利用可能性】
【００４３】
仮設建物工事に用いるパーツ間仕切の施工に利用可能である。工事現場に用いる建物のみならず、企業の社屋、店舗、倉庫、事務所、仮設展示場など、仮設建物一般に適用可能である。
【符号の説明】
【００４４】
１  墨線
５  ビス
１０  下桟
２０  上桟
２５  隙間防止スポンジ
３０  巾木
４０  柱
４５  ビスガイド溝
５０  実木
６０、６５  添柱
７０  間仕切パネル
８０  建具枠上パネル
９０  ドア建具ユニット
１００  引違戸建具ユニット
２００  プレハブ本体壁パネル
２１０  床
２２０  天井
２３０  梁
２４０  プレハブ本体柱
２５０  クサビ
３００  表示組立部
【図１】
2012017603.tif 000003
【図２】
2012017603.tif 000004
【図３】
2012017603.tif 000005
【図４】
2012017603.tif 000006
【図５】
2012017603.tif 000007
【図６】
2012017603.tif 000008
【図７】
2012017603.tif 000009
【図８】
2012017603.tif 000010
【図９】
2012017603.tif 000011
【図１０】
2012017603.tif 000012
【図１１】
2012017603.tif 000013
【図１２】
2012017603.tif 000014
【図１３】
2012017603.tif 000015
【図１４】
2012017603.tif 000016
【図１５】
2012017603.tif 000017
【図１６】
2012017603.tif 000018
【図１７】
2012017603.tif 000019
【図１８】
2012017603.tif 000020
【図１９】
2012017603.tif 000021
【図２０】
2012017603.tif 000022
【図２１】
2012017603.tif 000023
【図２２】
2012017603.tif 000024
【図２３】
2012017603.tif 000025
【図２４】
2012017603.tif 000026
【図２５】
2012017603.tif 000027
【図２６】
2012017603.tif 000028
【図２７】
2012017603.tif 000029
【図２８】
2012017603.tif 000030
【図２９】
2012017603.tif 000031
【図３０】
2012017603.tif 000032